(57)【要約】  膨張展開時、エアバッグの下方側が乗員の大腿部に乗り上げることを防止する。また、膨張展開時、上下方向や前後方向へのずれを抑制して所定位置への膨張展開をより確実に行う。  車両用シートの背もたれＳＢの側方に設置されるサイドエアバッグ装置１１である。エアバッグ１２と、このエアバッグ１２内に設けられ、センサーからの出力信号を受けて折り畳み状態の前記エアバッグ１２にガスを供給するインフレータ１３を備える。前記エアバッグ１２は、上方から、少なくとも乗員Ｐの腹部Ｐabを保護する第１保護部と、乗員Ｐの腰部Ｐhiを保護する第２保護部とを有する。当該エアバッグ１２を形成する、乗員Ｐと接する側の基布パネル１４ａの、前記第２保護部を含む当該エアバッグ１２の下方領域内の上下方向中間部分に、当該基布パネル１４ａの表面よりも大きな摩擦係数を有する滑り止め部分を有する。
2020110586.tif 000002
【特許請求の範囲】
【請求項１】
車両用シートの背もたれの側方に設置されるサイドエアバッグ装置であって、
エアバッグと、
このエアバッグ内に設けられ、センサーからの出力信号を受けて折り畳み状態の前記エアバッグにガスを供給するインフレータと、
を備え、
前記エアバッグは、上方から、少なくとも乗員の腹部を保護する第１保護部と、乗員の腰部を保護する第２保護部とを有し、当該エアバッグを形成する、乗員と接する側の基布パネルの、前記第２保護部を含む当該エアバッグの下方領域内の上下方向中間部分に、当該基布パネルの表面部よりも大きな摩擦係数を有する滑り止め部分を有することを特徴とするサイドエアバッグ装置。
【請求項２】
前記乗員と接する側の前記基布パネルの、前記下方領域内の上下方向中間部分だけでなく、前記下方領域内の上下方向上方部分にも前記滑り止め部分を有することを特徴とする請求の範囲第１項に記載のサイドエアバッグ装置。
【請求項３】
前記滑り止め部分は、前記エアバッグの膨張展開時に、少なくとも乗員の大腿部の一番外側に出っ張っている点の高さ位置を含むように設けられることを特徴とする請求の範囲第１項又は第２項に記載のサイドエアバッグ装置。
【請求項４】
前記滑り止め部分は、前記エアバッグの膨張展開時に、少なくとも前記車両用シートのシートクッション側部に位置するように設けられることを特徴とする請求の範囲第１項から第３項の何れか１項に記載のサイドエアバッグ装置。
【請求項５】
前記サイドエアバッグ装置は、前記車両用シートがベンチシートの場合、当該ベンチシートの背もたれとサイドドア或いは車体の内面との間の空間に設けられることを特徴とする請求の範囲第１項から第４項の何れか１項に記載のサイドエアバッグ装置。
【請求項６】
前記サイドエアバッグ装置は、前記車両用シートが車両の幅方向に複数並んでいるセパレートシートの場合、両セパレートシートの間に設けられることを特徴とする請求の範囲第１項から第４項の何れか１項に記載のサイドエアバッグ装置。
【請求項７】
前記サイドエアバッグ装置は、前記車両用シートが車両の幅方向に複数並んでいるセパレートシートの場合、当該セパレートシートのサイドドア側に設けられることを特徴とする請求の範囲第１項から第４項の何れか１項に記載のサイドエアバッグ装置。
【請求項８】
前記エアバッグは、前記第２保護部を含む下部チャンバと、前記第１保護部に相当する上部チャンバに分割されており、前記下部チャンバに前記滑り止め部分が設けられていることを特徴とする請求の範囲第１項から第７項の何れか１項に記載のサイドエアバッグ装置。
【請求項９】
樹脂コーティングを施すことによって前記滑り止め部分を設けることを特徴とする請求の範囲第１項から第８項の何れか１項に記載のサイドエアバッグ装置。
【請求項１０】
パッチを取付けることによって前記滑り止め部分を設けることを特徴とする請求の範囲第１項から第８項の何れか１項に記載のサイドエアバッグ装置。
【請求項１１】
前記上部チャンバ内に前記インフレータを収納する一方、当該インフレータに、前記ガスの供給により前記下部チャンバが所定圧力になった時、前記上部チャンバに前記ガスが戻ることを阻止する逆止弁を設けたインナーチューブを設け、当該インナーチューブを前記下部チャンバに導いたことを特徴とする請求の範囲第８項から第１０項の何れか１項に記載のサイドエアバッグ装置。
【発明の詳細な説明】
【技術分野】
【０００１】
本発明は、例えば、車両が側面から衝突された時（以下、側面衝突時という。）に、乗員を保護するため、車両に設置されるサイドエアバッグ装置に関するものである。特に、ベンチシートに設置した場合に有効なサイドエアバッグ装置に関するものである。【０００２】
以下、本願において「上」「上方」とは正規の状態で車両用シートに着座した乗員の頭部方向を、「下」「下方」とは同じく足元方向を意味する。また、「前」「前方」とは正規の状態で車両用シートに着座した乗員の正面側の方向を、「後」「後方」とは同じく背面側の方向を意味する。また「左右方向」とは正規の状態で車両用シートに着座した乗員の右手と左手の方向を意味する。
【背景技術】
【０００３】
自動車の車室に設置される車両用シートには、一人の乗員のみが着坐可能なセパレートシートと、複数の乗員が着座可能なベンチシートがある。このうち、前側（１列目）のフロントシートにはセパレートシートが、後側（例えば２列目）のリアシートにはベンチシートが設けられることが多い。【０００４】
このうち、セパレートシートに設置するサイドエアバッグ装置の場合、当該セパレートシートの側面とサイドドアの内面との間に余裕がある。従って、例えば側面衝突時、セパレートシートの背もたれ（以下、シートバックという。）の側方内部に設置したサイドエアバッグ装置のエアバッグの膨張展開が妨げられることはない。【０００５】
一方、ベンチシートに設置するサイドエアバッグ装置の場合、当該ベンチシートのクッション（以下、シートクッションという。）の側面とサイドドアや車体の内面との間隔が狭く、ほとんど隙間がない場合が多い。【０００６】
しかも、サイドエアバッグ装置の設置位置は、ベンチシートに着座する乗員の側方であっても、タイヤハウスなどの存在により、セパレートシートに設置する場合に比べて車両の前方側に設置せざるを得ないことが多い。【０００７】
例えば特許文献１，２では、サイドエアバッグ装置は、リアのベンチシートのシートバックと、サイドドアや車体の内面との間の、タイヤハウスの前方側に設置されている。【０００８】
このような位置にサイドエアバッグ装置を設置した場合、膨張展開したエアバッグがベンチシートのシートクッションの側面とサイドドアや車体の内面との間から、乗員の着座面よりも下側に潜り込むことはほとんど不可能になる。【０００９】
そうすると、エアバッグの下方側はどうしてもベンチシートのシートクッションの着座面に向かって膨張展開することになって、ベンチシートに着座した乗員の大腿部付近にエアバッグの下方側が膨張展開することになる。【００１０】
乗員Ｐの大腿部付近でエアバッグ１の下方側１ａが膨張展開すると、前記大腿部Ｐfeと前記下方側１ａが重なる部分（図８（ｂ）のＳで示す斜線部）が滑って、図９に示すように、エアバッグ１の下方側１ａが乗員Ｐの大腿部Ｐfeに乗り上げてしまうことがある。また、乗員の腰部Ｐhiについても同様のことが言える（図８（ｃ）のＳで示す斜線部参照）。【００１１】
エアバッグ１の下方側１ａが乗員Ｐの大腿部Ｐfeに乗り上げると、乗員Ｐの大腿部Ｐfeを拘束できなくなって、エアバッグ本来の乗員保護機能を発揮できなくなる。しかも、前記乗り上げにより乗員Ｐの腹部Ｐabにエアバッグ１が潜り込んで、乗員Ｐにダメージを与える可能性もある。なお、図８，９中、ＢＳはリアのベンチシート、ＳＤはサイドドアを示す。また、Ｐthは乗員Ｐの胸部、Ｐhiは乗員Ｐの腰部、Ｐheは乗員Ｐの頭部を示す。
【先行技術文献】
【特許文献】
【００１２】
【特許文献１】特開２０１７−５２４９３号公報
【特許文献２】特開２０１８−１０００００号公報
【発明の概要】
【発明が解決しようとする課題】
【００１３】
本発明が解決しようとする問題点は、サイドエアバッグ装置を、ベンチシートのシートバックと、サイドドアや車体の内面との間に設置した場合、エアバッグの下方側が乗員の大腿部に乗り上げ、乗員の大腿部を拘束できなくなるという点である。
【課題を解決するための手段】
【００１４】
本発明は、前記課題を解決することを目的としたもので、例えば側面衝突時にエアバッグが膨張展開した際、エアバッグの下方側が乗員の大腿部に乗り上げることを防止することである。本発明において、乗員とは、WorldSID 50などに代表される側面衝突用ダミーを示す。より具体的には、WorldSID 50（WorldSID 50th Percentile Male Side Impact Dummy W50-00000）、SID-IIs（SID-IIs Side Impact Dummy）、およびES-2/ES-2re（ES-2/ES-2re Side Impact Dummy）などである。【００１５】
すなわち、本発明は、車両用シートのシートバックの側方に設置されるサイドエアバッグ装置である。このサイドエアバッグ装置は、エアバッグと、このエアバッグ内に設けられ、センサーからの出力信号を受けて折り畳み状態の前記エアバッグにガスを供給するインフレータを備えている。【００１６】
本発明では、前記エアバッグは、上方から、少なくとも乗員の腹部を保護する第１保護部と、乗員の腰部を保護する第２保護部とを有している。そして、当該エアバッグを形成する、乗員と接する側の基布パネルの、前記第２保護部を含む当該エアバッグの下方領域内の上下方向中間部分に、当該基布パネルの表面部よりも大きな摩擦係数を有する滑り止め部分を有することが最も主要な特徴である。【００１７】
上記本発明では、エアバッグの膨張展開時、乗員と接する側の基布パネルの第２保護部を含む当該エアバッグの下方領域内の上下方向中間部分の表面部が、着座した乗員の大腿部の上面側と重なっても、前記表面部が前記大腿部上を滑ることを防止できる。従って、エアバッグの第２保護部が乗員の大腿部に乗り上げることがなく、衝撃が加わった部位に向かう乗員の大腿部の移動を拘束することが可能になる。なお、第１保護部は、少なくとも乗員の腹部を保護する部分であるが、胸部や肩部、さらに頭部を保護する部分を含むように形成されたものでもよい。【００１８】
本発明は、乗員と接する側の基布パネルの、第２保護部を含むエアバッグの下方領域内の上下方向中間部分だけでなく、前記下方領域内の上下方向上方部分にも滑り止め部分を有するものとしてもよい。この場合、当該表面部が前記乗員の腰部と重なっても、当該表面部が前記腰部上を滑ることがないので、衝撃が加わった部位に向かう乗員の腰部の移動を拘束することが可能になる。【００１９】
また、前記滑り止め部分は、エアバッグの膨張展開時に、少なくとも車両用シートのシートクッション側部に位置するように設けることが望ましい。このような位置に滑り止めを設けた場合、エアバッグの下部が不用意にシートクッションの上部に持ち上げられて乗員の大腿部から腰部を保護することができなくなることを防止できる。【００２０】
本発明のサイドエアバッグ装置は、車両用シートがベンチシートの場合、当該ベンチシートのシートバックとサイドドア或いは車体の内面との間の空間に設けられる。【００２１】
一方、本発明のサイドエアバッグ装置は、車両用シートが車両の幅方向に複数並んでいるセパレートシートの場合、両セパレートシートの間に、或いは、セパレートシートのサイドドア側に設けられる。【００２２】
本発明は、エアバッグを、前記第２保護部を含む下部チャンバと、前記第１保護部に相当する上部チャンバに分割し、下部チャンバに前記大きな摩擦係数の滑り止め部分を設けるようにすることが望ましい。このようにすれば、エアバッグの膨張展開時に、上下方向や前後方向へのずれを抑制でき、所定位置への膨張展開をより確実に行えるようにできる。【００２３】
本発明において、滑り止め部分における摩擦係数を大きくする手段は、例えば、樹脂コーティングを施すことによって、或いは、パッチを取り付けることによって行う。【００２４】
本発明では、上部チャンバに収納したインフレータに、下部チャンバが所定圧力になった時、下部チャンバ内のガスが上部チャンバに戻るのを阻止する逆止弁を設けたインナーチューブを設置し、当該インナーチューブを下部チャンバに導入することが望ましい。このようにすれば、下部チャンバ内を所定の圧力に保持できるので、エアバッグの膨張展開後の乗員保護時に、乗員の大腿部や腰部の保護性能を確実に維持することができる。
【発明の効果】
【００２５】
本発明では、エアバッグの膨張展開時に、乗員の腰部と接する側の基布パネルの、第２保護部を含むエアバッグの下方領域内の上下方向中間部分の表面部が、着座した乗員のサイドドア側の大腿部の上面側を滑ることがなくなる。或いは、前記上下方向中間部分より上の表面部が、着座した乗員のサイドドア側の大腿部の上面側や腰部上を滑ることがなくなる。従って、膨張展開したエアバッグが、例えば乗員の大腿部の上方、腰部上や腹部の前方に乗ることもなくなって、乗員の大腿部とサイドドアまたは車両の内面との間にエアバッグが確実に膨張展開できるようになる。【００２６】
すなわち、本発明では、シートの側面と、サイドドアや車体の内面との間にほとんど隙間がないベンチシートに設置した場合であっても、エアバッグの下方側が乗員の大腿部に乗り上げることがなく、乗員の大腿部の移動を効果的に拘束することができる。
【図面の簡単な説明】
【００２７】
【図１】本発明のサイドエアバッグ装置の第１の実施例を示した図で、（ａ）はエアバッグの折り畳み前の状態を示した図、（ｂ）はエアバッグの展開状態を車両の前側から見た図である。
【図２】リアのベンチシートに設置した図１に示す本発明のサイドエアバッグ装置のエアバッグが展開した状態を示した斜視図である。
【図３】リアのベンチシートに設置した図１に示す本発明のサイドエアバッグ装置のエアバッグが展開した状態を示した車両の側方から見た図である。
【図４】本発明のサイドエアバッグ装置の第２の実施例を示した図１（ａ）と同様の図である。
【図５】本発明のサイドエアバッグ装置の第３の実施例を示した図１（ｂ）と同様の図である。
【図６】フロントのセパレートシートのサイドドア側に設置した本発明のサイドエアバッグ装置が膨張展開した状態を示した図で、（ａ）は車両の側方から見た図、（ｂ）は車両の前側から見た図である。
【図７】フロントの隣り合うセパレートシート間に設置した本発明のサイドエアバッグ装置が膨張展開した状態を示した図６と同様の図である。
【図８】従来のサイドエアバッグ装置をリアのベンチシートに設置した場合の問題点を説明する図で、（ａ）は車両の側方から見た図、（ｂ）は（ａ）の矢視ＡーＡ図、（ｃ）は（ａ）の矢視ＢーＢ図である。
【図９】リアのベンチシートに設置した従来のサイドエアバッグ装置のエアバッグが展開した状態を示した斜視図である。
【発明を実施するための形態】
【００２８】
本発明の目的は、より適切に乗員を保護することである。具体的には、例えば側面衝突時にエアバッグが膨張展開した際、エアバッグの下方側が乗員の大腿部に乗り上げることを防止することである。また、エアバッグの膨張展開時に、上下方向や前後方向へのずれを抑制して所定位置への膨張展開をより確実に行えるようにすることである。
【００２９】
本発明は、エアバッグを形成する、乗員と接する側の基布パネルの、乗員の腰部を保護する第２保護部を含むエアバッグの下方領域内の上下方向中間部分に、当該基布パネルの表面部よりも大きな摩擦係数の滑り止め部材を設けることで、前記目的を実現した。
【実施例】
【００３０】
以下、本発明の実施例を、添付図面を用いて説明する。
（第１の実施例）
図１〜図３は本発明のサイドエアバッグ装置１１の第１の実施例を示した図である。【００３１】
本発明のサイドエアバッグ装置１１は、例えば、リアのベンチシートＢＳのシートバックＳＢとサイドドアＳＤの内面との間の空間に設置する。当該空間は、例えば前記ベンチシートＢＳの左右方向外側に設けられるサイドガーニッシュで車室と隔てた空間に限らず、サイドガーニッシュを設ける代わりにシートバックＳＢの左右方向外側を延長した側端部で車室と隔てた空間でもよい。【００３２】
このサイドエアバッグ装置１１は、エアバッグ１２の内部に、センサーからの出力信号を受信してその外側面から前記エアバッグ１２の内部にガスを噴出する、例えば筒形状のインフレータ１３を配置している。【００３３】
このインフレータ１３の外側面には、例えば、その長手方向に適宜の間隔を存して２本のスタッドボルト１３ａが突出して設けられている。そして、これらスタッドボルト１３ａを用いて、例えば、サイドガーニッシュに取り付けたケースに本発明のサイドエアバッグ装置１１を取り付けている。【００３４】
前記エアバッグ１２は、正規の状態でリアのベンチシートＢＳに着座した乗員Ｐの大腿部Ｐfe、腰部Ｐhi、腹部Ｐab、胸部Ｐth及び肩部Ｐshを拘束することが可能なように、図１（ａ）に示すように、前後方向よりも上下方向が長く形成されている。そして、左右方向に厚みを有するように、例えば、同形状に形成された２枚の基布パネル１４ａ，１４ｂの外周部を縫製１５して、袋状に形成されている。【００３５】
第１の実施例では、前記エアバッグ１２は、上方から下方に上部チャンバ１２ｂ及び下部チャンバ１２ａを備えている。上部チャンバ１２ｂは乗員Ｐの肩部Ｐsh、胸部Ｐth、及び腹部Ｐabを保護する第１保護部に対応し、下部チャンバ１２ａは乗員Ｐの腰部Ｐhiを保護する第２保護部に対応している。上部チャンバ１２ｂと下部チャンバ１２ａは、例えば隔壁１６により分割されている。なお、図１中の２１は前記隔壁１６を基布パネル１４ａ，１４ｂに取り付ける縫製部を示す。【００３６】
そして、下部チャンバ１２ａで、正規の状態でリアのベンチシートＢＳに着座した乗員Ｐの腰部Ｐhi及び大腿部Ｐfeを拘束する。また、上部チャンバ１２ｂで、正規の状態でリアのベンチシートＢＳに着座した乗員Ｐの腹部Ｐab、胸部Ｐth及び肩部Ｐshを拘束する。【００３７】
また、エアバッグ１２を形成する基布パネル１４ａ，１４ｂのうちの、乗員Ｐの腰部Ｐhiと接する側の基布パネル１４ａの、下部チャンバ１２ａの上下方向中間部分の表面側に、基布パネル１４ａ，１４ｂよりも大きな摩擦係数を有するパッチ１７ａを縫製１８して取り付けている。【００３８】
この縫製１８は、パッチ１７ａの上辺近傍と下辺近傍に、パッチ１７ａの端辺に沿うようになされている。パッチ１７ａの上下端部の近傍を縫製１８することで、パッチ１７ａの上下端部が乗員Ｐの大腿部Ｐfe等と接触した際に、縫製１８の存在によってさらに滑り止めの効果を増すように働く。従って、パッチ１７ａの取り付けに際しては、上下端部近傍を縫製１８することが好ましい。但し、このパッチ１７ａは、大きすぎるとエアバッグ１２の膨張展開時に支障をきたし、小さすぎると適切な滑り止め効果が期待できない。従って、これらの問題が生じないような所定の大きさにすることが必要である。また、パッチ１７ａを設ける位置は、少なくとも乗員Ｐの大腿部Ｐfeの一番外側に出っ張っている点Ｐfe−Ｐの高さ位置を含むように設ける。【００３９】
この第１の実施例では、例えば側面衝突時、リアのベンチシートＢＳに着座した乗員Ｐの大腿部Ｐfeの上面側に、膨張展開したエアバッグ１２のパッチ１７ａが重なりそうになっても、当該パッチ１７ａにより下部チャンバ１２ａが大腿部Ｐfe上を滑ることがない。従って、膨張展開したエアバッグ１２の下部チャンバ１２ａが乗員Ｐの大腿部Ｐfeに乗り上げることがなくなって、上下方向や前後方向へのずれが抑制でき、より確実な所定位置への膨張展開が可能になる。【００４０】
その際、例えば図３に示すように、エアバッグ１２の下端１２ｃがリアのベンチシートＢＳのシートクッションＳＣの表面と接するようにしておけば、シートクッションＳＣの座面とエアバッグ１２の下端１２ｃの間に隙間がなくなる。従って、乗員Ｐの大腿部Ｐfeが潜り込むことがないので、衝撃が加わった部位に向かう乗員Ｐの大腿部Ｐfeの移動を確実に拘束することができる。【００４１】
また、第１の実施例では、前記インフレータ１３の例えば下端部に、逆止弁１９を取り付けたインナーチューブ２０を取り付け、上部チャンバ１２ｂにインフレータ１３を収納する一方、前記インナーチューブ２０を下部チャンバ１２ａ内に導いている。【００４２】
前記逆止弁１９は、インナーチューブ２０の下端部に形成され、インフレータ１３で発生したガスにより下部チャンバ１２ａが所定圧力になった時には上部チャンバ１２ｂに前記ガスが戻ることを阻止する。このようにすれば、下部チャンバ１２ａが所定内部圧力を保持できるので、エアバッグ膨張展開後の乗員保護時に、乗員Ｐの大腿部Ｐfeや腰部Ｐhiの拘束を確実に維持することができる。【００４３】
（第２の実施例）
図４は本発明のサイドエアバッグ装置１１の第２の実施例を示した図である。
第２の実施例は、第２保護部である下部チャンバ１２ａの、乗員Ｐの腰部Ｐhiと接する側の基布パネル１４ａの表面側に取り付けるパッチ１７ｂで、下部チャンバ１２ａの前記基布パネル１４ａの上下方向中間部分のみならずその上方部分も覆うものである。この上方部分を覆うパッチ１７ｂの部分を、前記上下方向中間部分を覆う部分よりも後方に少しずらすことによって、このパッチ１７ｂが乗員Ｐの腰部Ｐhiに接触した時に、当該パッチ１７ｂが滑るのをより確実に防ぐように働く。【００４４】
この第２の実施例では、例えば側面衝突時、リアのベンチシートＢＳに着座した乗員Ｐの大腿部Ｐfeの上面側に、膨張展開したエアバッグ１２が重なろうとしても、前記パッチ１７ｂによってエアバッグ１２が大腿部Ｐfe上を滑ることがない。従って、エアバッグ１２の下方部分が乗員Ｐの大腿部Ｐfeに乗り上げることがない。【００４５】
また、第２の実施例では、膨張展開したエアバッグ１２がリアのベンチシートＢＳに着座した乗員Ｐの腰部Ｐhiの上に重なろうとしても、前記パッチ１７ｂによってエアバッグ１２が前記腰部Ｐhiを滑ることがない。【００４６】
従って、衝撃が加わった部位に向かう乗員Ｐの大腿部Ｐfeの移動を確実に拘束することができる。また、衝撃が加わった部位に向かう乗員Ｐの腰部Ｐhiの移動も確実に拘束することができる。【００４７】
（第３の実施例）
図５は本発明のサイドエアバッグ装置１１の第３の実施例を示した図である。
第３の実施例は、乗員Ｐの腰部Ｐhiと接する側の基布パネル１４ａの、前記下部チャンバ１２ａを形成する基布パネル１４ａａの表面側に、前記パッチ１７ａ，１７ｂの替りに、基布パネル１４ａ，１４ｂよりも摩擦係数が大きい樹脂コーティングを施したものである。【００４８】
この第３の実施例では、エアバッグ１２は、乗員Ｐの腰部Ｐhiと接する側の基布パネル１４ａが、前記基布パネル１４ａａと、上部チャンバ１２ｂを形成する基布パネル１４ａｂの２枚となるほかは第１や第２の実施例と相違する箇所はない。なお、図５中の２２は前記基布パネル１４ａａと前記基布パネル１４ａｂの縫製部を示す。【００４９】
この第３の実施例も、第２の実施例と同様の作用効果を奏することができる。【００５０】
本発明は上記の例に限らず、各請求項に記載された技術的思想の範疇であれば、適宜実施の形態を変更しても良いことは言うまでもない。【００５１】
すなわち、以上で述べたサイドエアバッグ装置は、本発明の好ましい例であって、これ以外の実施態様も含まれる。特に本願明細書中に限定する主旨の記載がない限り、本発明は添付図面に示した詳細な部品の形状、大きさ、および構成配置等に制約されるものではない。また、本願明細書の中に用いられた表現および用語は説明を目的としたもので、特に限定される主旨のない限り、それに限定されるものではない。【００５２】
例えば、第１〜第３の実施例では、本発明のサイドエアバッグ装置１１をリアのベンチシートＢＳのシートバックＳＢとサイドドアＳＤの内面との間の空間に設置している。【００５３】
しかしながら、本発明のサイドエアバッグ装置１１は、図６に示すように、フロントのセパレートシートＳＳや、３列シートの２列目のセパレートシートＳＳのサイドドアＳＤ側（ニアサイド）に設置してもよい。また、図７に示すように、隣り合うセパレートシートＳＳの間（ファーサイド）に設置してもよい。【００５４】
この場合、エアバッグ１２の下部チャンバ１２ａをシートクッションＳＣの座面よりも下方まで至る長さとし、パッチ１７ｃ又は樹脂コーティングは、前記下部チャンバ１２ａのシートクッションＳＣの側面と相対する位置に取り付けておくことが望ましい。このような位置にパッチ１７ｃ又は樹脂コーティングを取り付けた場合、エアバッグ１２の下部が不用意にシートクッションＳＣの上部に持ち上げられることがなくなる。従って、乗員Ｐの大腿部Ｐfeから腰部Ｐhiを確実に保護することができるようになる。【００５５】
また、第１〜第３の実施例では、隔壁１６を設けてエアバッグ１２を下部チャンバ１２ａと上部チャンバ１２ｂに分割しているが、必ずしも隔壁１６を設ける必要はなく、単に縫製により分割してもよい。【００５６】
また、第１〜第３の実施例では、エアバッグ１２を下部チャンバ１２ａと上部チャンバ１２ｂに分割しているが、摩擦係数を大きくする位置の特定が可能であれば、必ずしも下部チャンバ１２ａと上部チャンバ１２ｂに分割しなくてもよい。【００５７】
また、第１、第２の実施例では、パッチ１７ａ，１７ｂの基布パネル１４ａへの取り付けを縫製１８によって行っているが、基布パネル１４ａへのパッチ１７ａ，１７ｂの取り付け位置が変化しないのであれば、接着などの他の手段で取り付けてもよい。【００５８】
また、第３の実施例では、乗員Ｐと接する側の基布パネル１４ａの、下部チャンバ１２ａを形成する部分１２ａａの全てに、基布パネル１４ａ，１４ｂよりも摩擦係数が大きい樹脂コーティングを施している。【００５９】
しかしながら、部分的に樹脂コーティングを施すことが可能であれば、第１又は第２の実施例のパッチ１７ａ又は１７ｂと同じ領域のみに樹脂コーティングを施してもよい。この場合、乗員Ｐと接する側の基布パネル１４ａは、第３の実施例のように、下部チャンバ１２ａを形成する基布パネル１４ａａと、上部チャンバ１２ｂを形成する基布パネル１４ａｂの２枚とする必要がなくなる。【００６０】
また、第１〜第３の実施例では、インフレータ１３の下端部に、逆止弁１９を取り付けたインナーチューブ２０を接続しているが、逆止弁１９を取り付けたインナーチューブ２０をインフレータ１３に接続しなくてもよい。【００６１】
また、第１〜第３の実施例では、第１保護部である上部チャンバ１２ｂが乗員Ｐの肩部Ｐsh、胸部Ｐth、腹部Ｐabを保護するように形成されているが、乗員Ｐの頭部Ｐheも保護するように形成されたものでもよい。逆に、カーテンエアバッグ等で乗員Ｐの頭部Ｐheや肩部Ｐsh等まで保護されるような場合には、乗員Ｐの腹部Ｐabのみを保護するように形成されたものでもよい。
【符号の説明】
【００６２】
１１    サイドエアバッグ装置
１２    エアバッグ
１２ａ    下部チャンバ
１２ｂ    上部チャンバ
１３    インフレータ
１４ａ    乗員と接する側の基布パネル
１４ａａ    下部チャンバ１２ａにおける乗員と接する側の基布パネル
１７ａ    パッチ
１７ｂ    パッチ
１７ｃ    パッチ
１９    逆止弁
ＢＳ    ベンチシート
ＳＳ    セパレートシート
ＳＢ    シートバック
ＳＣ    シートクッション
ＳＤ    サイドドア
Ｐ    乗員
【図１】
2020110586.tif 000003
【図２】
2020110586.tif 000004
【図３】
2020110586.tif 000005
【図４】
2020110586.tif 000006
【図５】
2020110586.tif 000007
【図６】
2020110586.tif 000008
【図７】
2020110586.tif 000009
【図８】
2020110586.tif 000010
【図９】
2020110586.tif 000011
【国際調査報告】
2020110586.tif 000012
2020110586.tif 000013
2020110586.tif 000014
2020110586.tif 000015